(57)【要約】【課題】外部からの妨害波や干渉波を受けて通信品質が劣化したディジタル無線信号を受信した時でも、音声通信品質に優れた音声通信を行うことができる通信機を提供することを目的とする。【解決手段】無線信号によって音声通信を行う通信機であって、受信信号の受信電力レベルを検知し、検知した受信電力レベルから無線信号の通信品質を判別し、通信品質劣化時の受信音声データの区間における音声データを代替音データまたは無音データとする受信電力レベル検知部１０を有する。【選択図】　図１
2004104211.tif 000002
【特許請求の範囲】
【請求項１】
無線信号によって音声通信を行う通信機であって、
受信信号の受信電力レベルを検知し、前記検知した受信電力レベルから無線信号の通信品質を判別し、通信品質劣化時の受信音声データの区間における音声データを代替音データまたは無音データとする受信電力レベル検知部を有することを特徴とする通信機。
【請求項２】
無線信号によって音声通信を行う通信機であって、
受信信号の受信電力レベルを検知する受信電力レベル検知部と、全体を制御する制御部と、無線信号に付加された誤り検出符号に基づいて受信音声データの誤りの有無を検出する誤り検出部とを備え、前記制御部は、前記検知した受信電力レベルおよび前記誤り検出部における誤りの有無から無線信号の通信品質を判別することを特徴とする通信機。
【請求項３】
無線信号によって音声通信を行う通信機であって、
受信信号の受信電力レベルを検知する受信電力レベル検知部と、全体を制御する制御部と、無線信号に付加された同期検出符号に基づいて送受信時の同期確立の有無を検出する同期検出部とを備え、前記制御部は、前記検知した受信電力レベルおよび前記同期検出部における同期確立の有無から無線信号の通信品質を判別することを特徴とする通信機。
【請求項４】
無線信号によって音声通信を行う通信機であって、
受信信号の受信電力レベルを検知する受信電力レベル検知部と、全体を制御する制御部と、無線信号に付加された誤り検出符号に基づいて受信音声データの誤りの有無を検出する誤り検出部と、無線信号に付加された同期検出符号に基づいて送受信時の同期確立の有無を検出する同期検出部とを備え、前記制御部は、前記検知した受信電力レベルおよび前記誤り検出部における誤りの有無ならびに前記同期検出部における同期確立の有無から無線信号の通信品質を判別することを特徴とする通信機。
【請求項５】
無線信号によって音声通信を行う通信機であって、
受信信号の受信電力レベルを検知する受信電力レベル検知部と、無線信号に付加された誤り検出符号に基づいて受信音声データの誤りの有無を検出する誤り検出部と、全体を制御する制御部とを有し、前記制御部は、前記検知した受信電力レベルが通信機の許容受信電力の範囲外であって、前記誤り検出部によって受信音声データの誤りを検出した場合にのみ、前記受信音声データの区間における音声データを代替音データまたは無音データとすることを特徴とする通信機。
【請求項６】
無線信号によって音声通信を行う通信機であって、
受信信号の受信電力レベルを検知する受信電力レベル検知部と、無線信号に付加された同期検出符号に基づいて送受信時の同期確立の有無を検出する同期検出部と、全体を制御する制御部とを有し、前記制御部は、前記検知した受信電力レベルが通信機の許容受信電力の範囲外であって、前記同期検出部によって受信音声データの同期検出ができなかった場合にのみ、前記受信音声データの区間における音声データを代替音データまたは無音データとすることを特徴とする通信機。
【請求項７】
無線信号によって音声通信を行う通信機であって、
受信信号の受信電力レベルを検知する受信電力レベル検知部と、無線信号に付加された誤り検出符号に基づいて受信音声データの誤りの有無を検出する誤り検出部と、無線信号に付加された同期検出符号に基づいて送受信時の同期確立の有無を検出する同期検出部と、全体を制御する制御部とを有し、前記制御部は、前記検知した受信電力レベルが通信機の許容受信電力の範囲外であって、前記誤り検出部によって受信音声データの誤りを検出し、さらに前記同期検出部によって受信音声データの同期検出ができなかった場合にのみ、前記受信音声データの区間における音声データを代替音データまたは無音データとすることを特徴とする通信機。
【発明の詳細な説明】
【０００１】
【発明の属する技術分野】
本発明は、時分割多重通信またはパケット通信を用いて音声通信を行う通信機に関するものである。
【０００２】
【従来の技術】
ディジタル音声通信において通信品質を維持することは極めて重要なことであり、このために通信品質を的確に判別することが要求される。
【０００３】
図７は、従来の通信機を示すブロック図である。
【０００４】
図７において、１はディジタル無線信号を送受信する通信部、２は機器の動作の制御を行い且つ通信信号の変復調を行う制御部、３は操作部、４は表示部、５はマイク、６はスピーカ、７は制御部２による機器の動作の制御に必要な情報などを記録したメモリ、８は回線や機器の周辺装置などと接続される外部インターフェース部（外部Ｉ／Ｆ部）、９はパケット中に付加された誤り検出符号を用いて受信したパケット中にデータ誤りがないか検出する誤り検出部である。
【０００５】
このように構成された通信機について、その概略動作を説明する。
【０００６】
通信部１によって受信された受信信号は、制御部２の内部に設けられた誤り検出部９において、パケット中に付加された誤り検出符号により、受信したパケット中にデータ誤りが有るか否かを検出される。ここで当該受信パケットにデータ誤りが検出された場合、誤り検出部９は、データ誤りが検出されたパケットの音声データに代えて代替音データまたは無音データを出力する（例えば、特許文献１参照。）。
【０００７】
【特許文献１】
特開２００１−３３９５２２号公報
【０００８】
【発明が解決しようとする課題】
このように、上記従来の通信機では、受信パケットにデータ誤りが検出された場合、データ誤りが検出されたパケットの音声データに代えて代替音データまたは無音データを出力するようにしたので、受信パケットが突発的な妨害波や干渉波などによって誤り検出符号部分が著しく影響を受けた時や、正常な受信状態であっても誤り検出部９でデータ誤りを検出した時などのように、誤った受信パケットデータが音声データへ変換されたり、正常な受信パケットデータが音声データへ変換されなかったりというように、音声通信品質が安定しないという問題点を有していた。
【０００９】
この通信機では、外部からの妨害波や干渉波を受けて通信品質が劣化したディジタル無線信号を受信した時でも、音声通信品質に優れた音声通信を行うことができることが要求されている。
【００１０】
本発明は、外部からの妨害波や干渉波を受けて通信品質が劣化したディジタル無線信号を受信した時でも、音声通信品質に優れた音声通信を行うことができる通信機を提供することを目的とする。
【００１１】
【課題を解決するための手段】
上記課題を解決するために本発明の通信機は、無線信号によって音声通信を行う通信機であって、受信信号の受信電力レベルを検知し、検知した受信電力レベルから無線信号の通信品質を判別し、通信品質劣化時の受信音声データの区間における音声データを代替音データまたは無音データとする受信電力レベル検知部を有する構成を備えている。
【００１２】
これにより、外部からの妨害波や干渉波を受けて通信品質が劣化したディジタル無線信号を受信した時でも、音声通信品質に優れた音声通信を行うことができる通信機が得られる。
【００１３】
【発明の実施の形態】
本発明の請求項１に記載の通信機は、無線信号によって音声通信を行う通信機であって、受信信号の受信電力レベルを検知し、検知した受信電力レベルから無線信号の通信品質を判別し、通信品質劣化時の受信音声データの区間における音声データを代替音データまたは無音データとする受信電力レベル検知部を有することとしたものである。
【００１４】
この構成により、受信信号がたとえば受信パケット毎の受信電力レベルを検知し、検知した受信電力レベルが正常通信時のレベル値（正常通信レベル値）から大きく増減した場合、受信パケットは外部からの妨害波や干渉波を受け通信品質が劣化したと判別し、劣化したと判別されたパケットの音声データに代えて代替音データまたは無音データを出力し、また、検知した受信電力レベルの正常通信レベル値からの増減が小さい場合、受信パケットは外部からの妨害波や干渉波を受けず、また通信品質が劣化していないと判別し、受信パケットの音声データをそのまま出力するようにすることができるので、外部からの妨害波や干渉波を受けて通信品質が劣化したディジタル無線信号を受信した時も、音声通信品質に優れた音声通信を行うことができるという作用を有する。
【００１５】
請求項２に記載の通信機は、無線信号によって音声通信を行う通信機であって、受信信号の受信電力レベルを検知する受信電力レベル検知部と、全体を制御する制御部と、無線信号に付加された誤り検出符号に基づいて受信音声データの誤りの有無を検出する誤り検出部とを備え、制御部は、検知した受信電力レベルおよび誤り検出部における誤りの有無から無線信号の通信品質を判別することとしたものである。
【００１６】
この構成により、受信パケットの受信電力レベルが正常通信レベル値から大きく増減し、更に受信パケット中に付加された誤り検出符号によって受信パケットにデータ誤りが検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された誤り検出符号によって受信パケットにデータ誤りが検出されなかった場合は、音声データとして受信パケットのデータをそのまま使用するようにすることができるので、音声通信品質に優れた音声通信を行うことができるという作用を有する。
【００１７】
請求項３に記載の通信機は、無線信号によって音声通信を行う通信機であって、受信信号の受信電力レベルを検知する受信電力レベル検知部と、全体を制御する制御部と、無線信号に付加された同期検出符号に基づいて送受信時の同期確立の有無を検出する同期検出部とを備え、制御部は、検知した受信電力レベルおよび同期検出部における同期確立の有無から無線信号の通信品質を判別することとしたものである。
【００１８】
この構成により、受信パケットの受信電力レベルが正常通信レベル値から大きく増減し、更に受信パケット中に付加された同期検出符号によって受信パケットに同期不確立が検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された同期検出符号によって受信パケットに同期不確立が検出されなかった場合は、音声データとして受信パケットのデータをそのまま使用するようにすることができるので、音声通信品質に優れた音声通信を行うことができるという作用を有する。
【００１９】
請求項４に記載の通信機は、無線信号によって音声通信を行う通信機であって、受信信号の受信電力レベルを検知する受信電力レベル検知部と、全体を制御する制御部と、無線信号に付加された誤り検出符号に基づいて受信音声データの誤りの有無を検出する誤り検出部と、無線信号に付加された同期検出符号に基づいて送受信時の同期確立の有無を検出する同期検出部とを備え、制御部は、検知した受信電力レベルおよび誤り検出部における誤りの有無ならびに同期検出部における同期確立の有無から無線信号の通信品質を判別することを特徴とする通信機。
【００２０】
この構成により、検知した受信パケット毎の受信電力レベルが正常通信レベル値から大きく増減し、更に誤り検出部において受信パケット中に付加された誤り検出符号によって受信パケットに誤りが検出され、更に同期検出部において受信パケット中に付加された同期検出符号によって受信パケットに同期不確立が検出された場合は、受信パケットは外部からの干渉波を受けまた通信品質が劣化したと判別し、通信品質の劣化が検知されたパケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという作用を有する。
【００２１】
請求項５に記載の通信機は、無線信号によって音声通信を行う通信機であって、受信信号の受信電力レベルを検知する受信電力レベル検知部と、無線信号に付加された誤り検出符号に基づいて受信音声データの誤りの有無を検出する誤り検出部と、全体を制御する制御部とを有し、制御部は、検知した受信電力レベルが通信機の許容受信電力の範囲外であって、誤り検出部によって受信音声データの誤りを検出した場合にのみ、受信音声データの区間における音声データを代替音データまたは無音データとすることとしたものである。
【００２２】
この構成により、検知された受信パケットの受信電力レベルが正常通信品質を確保できる受信電力レベル領域の範囲外であって、更に誤り検出部において受信パケット中に付加された誤り検出符号によって受信パケットに誤りが検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという作用を有する。
【００２３】
請求項６に記載の通信機は、無線信号によって音声通信を行う通信機であって、受信信号の受信電力レベルを検知する受信電力レベル検知部と、無線信号に付加された同期検出符号に基づいて送受信時の同期確立の有無を検出する同期検出部と、全体を制御する制御部とを有し、制御部は、検知した受信電力レベルが通信機の許容受信電力の範囲外であって、同期検出部によって受信音声データの同期検出ができなかった場合にのみ、受信音声データの区間における音声データを代替音データまたは無音データとすることとしたものである。
【００２４】
この構成により、検知された受信パケットの受信電力レベルが正常通信品質を確保できる受信電力レベル領域の範囲外であって、更に同期検出部において受信パケット中に付加された同期検出符号によって受信パケットに同期不確立が検出された場合にのみ、受信パケットは外部からの妨害波や干渉波を受けると共に通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという作用を有する。
【００２５】
請求項７に記載の通信機は、無線信号によって音声通信を行う通信機であって、受信信号の受信電力レベルを検知する受信電力レベル検知部と、無線信号に付加された誤り検出符号に基づいて受信音声データの誤りの有無を検出する誤り検出部と、無線信号に付加された同期検出符号に基づいて送受信時の同期確立の有無を検出する同期検出部と、全体を制御する制御部とを有し、制御部は、検知した受信電力レベルが通信機の許容受信電力の範囲外であって、誤り検出部によって受信音声データの誤りを検出し、さらに同期検出部によって受信音声データの同期検出ができなかった場合にのみ、受信音声データの区間における音声データを代替音データまたは無音データとすることとしたものである。
【００２６】
この構成により、検知された受信パケットの受信電力レベルが正常通信品質を確保できる受信電力レベル領域の範囲外であって、更に誤り検出部において受信パケット中に付加された誤り検出符号によって受信パケットに誤りが検出され、更に同期検出部において受信パケット中に付加された同期検出符号によって受信パケットに同期不確立が検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという作用を有する。
【００２７】
以下、本発明の実施の形態について、図１〜図６を用いて説明する。
【００２８】
（実施の形態１）
図１は、本発明の実施の形態１による通信機を示すブロック図である。
【００２９】
図１において、通信部１、制御部２、操作部３、表示部４、マイク５、スピーカ６、メモリ７、外部インタフェース部８、誤り検出部９は図７と同様の構成であるので、同一符号を付し、説明は省略する。１０は受信パケット毎の受信電力レベルを検知する受信電力レベル検知部である。
【００３０】
このように構成された通信機について、その概略動作を説明する。
【００３１】
通信部１によって受信された受信信号は、制御部２の内部に設けられた受信電力レベル検知部１０において、受信パケット毎の受信電力レベルが検知される。検知した当該受信電力レベルが正常通信レベル値から大きく増減した場合は、この時の受信パケットは外部からの妨害波または干渉波を受け、また通信品質が劣化したと判別し、受信電力レベル検知部１０は、当該受信電力レベルが検知されたパケットの音声データに代えて代替音データまたは無音データを出力する。なお、本実施の形態では受信電力レベル検知部１０は制御部２の内部に設けられたとしたが、制御部２の外部に設けるようにしてもよい。
【００３２】
図２は、図１の受信電力レベル検知部１０による受信電力レベル判別方法を示す説明図である。
【００３３】
図２において、１１〜１５は通信部１で受信した受信パケット、１６は受信パケット１１の受信電力レベルを受信電力レベル検知部１０によって検知したときの受信電力レベル、１７は受信パケット１２の受信電力レベルを受信電力レベル検知部１０によって検知したときの受信電力レベル、１８は受信パケット１３の受信電力レベルを受信電力レベル検知部１０によって検知したときの受信電力レベル、１９は受信パケット１４の受信電力レベルを受信電力レベル検知部１０によって検知したときの受信電力レベル、２０は受信パケット１５の受信電力レベルを受信電力レベル検知部１０によって検知したときの受信電力レベル、２１〜２５は受信パケット１１〜１５の音声データである。
【００３４】
図２において、受信パケット１１の受信電力レベル１６を正常通信時の通常レベル値（正常通信レベル値）とする。ここで、正常通信レベル値の決定は、通信開始時の第一に受信した受信パケットの受信電力レベルとするのも有効である。また、通信を開始し、通信確立した前後の受信パケットの受信電力レベルとするのも有効である。また、通信確立するまでの幾つかの受信パケットの受信電力レベルの平均値とするのも有効である。受信パケット１１の次の受信パケット１２の受信電力レベル１７が、正常通信レベル値である受信電力レベル１６より大きく変動しない時、この受信パケット１２の受信電力レベル１７は正常通信レベル値と判別し、受信パケット１２の音声データ２２をそのまま使用する。ここで受信電力レベル１６と受信電力レベル１７との受信電力レベルから通常レベル値を更新するのも有効である。また受信電力レベルの変動の判定は、変動の幅にある閾値を設けたり、加算回路や微分回路等を用いて閾値判定するのも有効である。次に受信した受信パケット１３の受信電力レベル１８が図２に示す様に正常通信レベルよりも急激に大きくなった場合、この受信パケット１３は外部からの突発的な妨害波や干渉波などを受けて通信品質が劣化したと判別し、その時の音声データ２３には代替音データまたは無音データを使用する。次に、受信電力レベルが正常通信レベル値に近い受信電力レベル１９であるパケット１４を受信した時、正常通信と判別し、この時の音声データ２４はそのまま使用する。次に受信した受信パケット１５の受信電力レベル２０が図２に示す様に正常通信レベルよりも急激に小さくなった場合、この受信パケット１５は外部からの突発的な妨害波や干渉波または電波の遮蔽などを受けて通信品質が劣化したと判別し、その時の音声データ２５には代替音データまたは無音データを使用する。
【００３５】
以上のように本実施の形態によれば、受信信号の受信電力レベルを検知し、検知した受信電力レベルから無線信号の通信品質を判別し、通信品質劣化時の受信音声データの区間における音声データを代替音データまたは無音データとする受信電力レベル検知部１０を有することにより、受信パケット毎の受信電力レベルを検知し、検知した受信電力レベルが正常通信レベル値から大きく増減した場合、受信パケットは外部からの妨害波や干渉波を受け通信品質が劣化したと判別し、劣化したと判別されたパケットの音声データに代えて代替音データまたは無音データを出力し、また、検知した受信電力レベルの正常通信レベル値からの増減が小さい場合、受信パケットは外部からの妨害波や干渉波を受けず、また通信品質が劣化していないと判別し、受信パケットの音声データをそのまま出力するようにすることができるので、外部からの妨害波や干渉波を受けて通信品質が劣化したディジタル無線信号を受信した時も、音声通信品質に優れた音声通信を行うことができる。従って、本実施の形態を音声通信を行うコードレス電話機や携帯電話機、情報端末機、家庭内無線システム機器などに適用すれば、音声通信品質に優れたものとすることができる。
【００３６】
（実施の形態２）
本発明の実施の形態２による通信機の構成は実施の形態１と同様、図１の構成である。
【００３７】
このように構成された通信機について、その動作を図３を用いて説明する。図３（ａ）は本発明の実施の形態２における送信パケットデータを示すデータ構成図であり、図３（ｂ）は本発明の実施の形態２における受信パケットデータを示すデータ構成図、図３（ｃ）は本発明の実施の形態２における復調データを示すデータ構成図である。
【００３８】
図３において、２６、２７は該通信機と通信する他の通信機より送信された送信パケットデータ、２８は送信パケットデータ２６を該通信機が受信した受信パケットデータ、２９は送信パケットデータ２７を該通信機が受信した受信パケットデータ、３０は受信パケットデータ２８に付加されたデータ１を復調した音声データ、３１は受信パケットデータ２９に付加されたデータ２を復調した音声データである。
【００３９】
送信パケット２６を受信した受信パケット２８の受信電力レベルが正常通信レベル値から大きく増減し、更に受信パケット２８中に付加された誤り検出符号によって受信パケット２８にデータ誤りが検出された場合、この時の受信パケット２８は外部からの干渉波を受け、また通信品質が劣化したと判別し、受信パケット２８のデータ１は使用せず、音声データ３０には代替音データまたは無音データを出力する。一方、送信パケット２７を受信した受信パケット２９の受信電力レベルが正常通信レベル値から大きく増減し、更に受信パケット２９中に付加された誤り検出符号によって受信パケット２９にデータ誤りが検出されなかった場合、音声データ３１には受信パケット２９のデータ２をそのまま使用する。
【００４０】
以上のように本実施の形態によれば、受信信号の受信電力レベルを検知する受信電力レベル検知部１０と、全体を制御する制御部２と、無線信号に付加された誤り検出符号に基づいて受信音声データの誤りの有無を検出する誤り検出部９とを備え、制御部２は、検知した受信電力レベルおよび誤り検出部９における誤りの有無から無線信号の通信品質を判別することにより、受信パケットの受信電力レベルが正常通信レベル値から大きく増減し、更に受信パケット中に付加された誤り検出符号によって受信パケットにデータ誤りが検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された誤り検出符号によって受信パケットにデータ誤りが検出されなかった場合は、音声データとして受信パケットのデータをそのまま使用するようにすることができるので、音声通信品質に優れた音声通信を行うことができる。
【００４１】
（実施の形態３）
図４は、本発明の実施の形態３による通信機を示すブロック図である。
【００４２】
図４において、通信部１、制御部２、操作部３、表示部４、マイク５、スピーカ６、メモリ７、外部インタフェース部８、受信電力レベル検知部１０は図１と同様の構成であるので、同一符号を付し、説明は省略する。３２はパケット中に付加された通信同期を確立する符号を用いて受信したパケットの同期が確立したか否かを検出する同期検出部である。
【００４３】
このように構成された通信機について、その動作を図３を用いて説明する。
【００４４】
通信部１によって受信された受信信号は、制御部２に設けられた受信電力レベル検知部１０において、受信パケット毎の受信電力レベルが検知される。検知した受信電力レベルが正常通信レベル値から大きく増減し、更に当該受信パケット中に付加された同期検出符号によって当該受信パケットに同期不確立が検出された場合、この時の受信パケットは外部からの妨害波または干渉波を受け、また通信品質が劣化したと判別し、当該受信電力レベルが検知されたパケットの音声データに代えて代替音データまたは無音データを出力する。
【００４５】
図３において、送信パケット２６を受信した受信パケット２８の受信電力レベルが正常通信レベル値から大きく増減し、更に受信パケット２８中に付加された同期検出符号によって受信パケット２８に同期不確立が検出された場合、この時の受信パケット２８は外部からの干渉波を受け、また通信品質が劣化したと判別し、受信パケット２８のデータ１は使用せず、音声データ３０には代替音データまたは無音データを出力する。一方、送信パケット２７を受信した受信パケット２９の受信電力レベルが正常通信レベル値から大きく増減し、更に受信パケット２９中に付加された同期検出符号によって受信パケット２９に同期不確立が検出されなかった場合、音声データ３１には受信パケット２９のデータ２をそのまま使用する。
【００４６】
以上のように本実施の形態によれば、受信信号の受信電力レベルを検知する受信電力レベル検知部１０と、全体を制御する制御部２と、無線信号に付加された同期検出符号に基づいて送受信時の同期確立の有無を検出する同期検出部３２とを備え、制御部２は、検知した受信電力レベルおよび同期検出部３２における同期確立の有無から無線信号の通信品質を判別することにより、受信パケットの受信電力レベルが正常通信レベル値から大きく増減し、更に受信パケット中に付加された同期検出符号によって受信パケットに同期不確立が検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された同期検出符号によって受信パケットに同期不確立が検出されなかった場合は、音声データとして受信パケットのデータをそのまま使用するようにすることができるので、音声通信品質に優れた音声通信を行うことができる。
【００４７】
（実施の形態４）
図５は、本発明の実施の形態４による通信機を示すブロック図である。
【００４８】
図５において、通信部１、制御部２、操作部３、表示部４、マイク５、スピーカ６、メモリ７、外部インタフェース部８、誤り検出部９、受信電力レベル検知部１０は図１と同様の構成であり、同期検出部３２は図４と同様の構成であるので、同一符号を付し、説明は省略する。
【００４９】
このように構成された通信機について、その動作を説明する。
【００５０】
通信部１によって受信された受信信号は、制御部２に設けられた受信電力レベル検知部１０において、受信パケット毎の受信電力レベルが検知される。検知した受信電力レベルが正常通信レベル値から大きく増減し、更に誤り検出部９において当該受信パケット中に付加された誤り検出符号によって当該受信パケットに誤りが検出され、更に同期検出部３２において当該受信パケット中に付加された同期検出符号によって当該受信パケットに同期不確立が検出された場合、この時の受信パケットは外部からの干渉波を受け、また通信品質が劣化したと判別し、当該受信電力レベルが検知されたパケットの音声データに代えて代替音データまたは無音データを出力する。
【００５１】
以上のように本実施の形態によれば、受信信号の受信電力レベルを検知する受信電力レベル検知部１０と、全体を制御する制御部２と、無線信号に付加された誤り検出符号に基づいて受信音声データの誤りの有無を検出する誤り検出部９と、無線信号に付加された同期検出符号に基づいて送受信時の同期確立の有無を検出する同期検出部３２とを備え、制御部２は、検知した受信電力レベルおよび誤り検出部９における誤りの有無ならびに同期検出部３２における同期確立の有無から無線信号の通信品質を判別することにより、検知した受信パケット毎の受信電力レベルが正常通信レベル値から大きく増減し、更に誤り検出部９において受信パケット中に付加された誤り検出符号によって受信パケットに誤りが検出され、更に同期検出部３２において受信パケット中に付加された同期検出符号によって受信パケットに同期不確立が検出された場合は、受信パケットは外部からの干渉波を受けまた通信品質が劣化したと判別し、通信品質の劣化が検知されたパケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができる。
【００５２】
（実施の形態５）
本発明の実施の形態５による通信機の構成は、実施の形態１、３または４と同様、図１、図４または図５の構成である。
【００５３】
このように構成された通信機について、その動作を図６を用いて説明する。図６は、受信電力レベル領域の一例を示すグラフである。図６において、３３は受信電力レベル検知部１０における検知レベルが該通信機の正常通信品質を確保できる受信パケットの受信電力レベル領域（安定受信電力レベル領域）、３４は受信電力レベル領域３３を超えた受信電力レベル、３５は受信電力レベル領域３３より小さい受信電力レベルである。なお、図６の横軸は通信時間を示す。
【００５４】
本実施の形態による通信機において、正常通信品質を確保できる受信電力レベル領域３３の範囲外であることは、通常通信品質が劣化したと判別される。しかしながら、正常通信レベル値が受信電力レベル領域３３の境界付近である場合には正常通信レベル値が徐々に受信電力レベル領域３３の範囲から外れていくことや、受信電力レベル検知部１０で検知した受信電力レベルが受信電力レベル領域３３の範囲から外れることが予想される。このような時、受信電力レベルが受信電力レベル領域３３の範囲外であるからといって、この時の受信パケットの通信品質が不良であるとは一概に判別できない。また、その領域は該通信機個別にバラツキがあり一意的に決定できず、受信電力レベル領域３３の範囲外であっても通信品質が良好な場合も考えられる。受信電力レベル検知部１０において検知される当該受信パケットの受信電力レベルが受信電力レベル領域３３の範囲外であって、更に誤り検出部９において当該受信パケット中に付加された誤り検出符号によって当該受信パケットに誤りが検出された場合のみ、当該受信パケットは外部からの妨害波や干渉波を受け、また通信品質が劣化したと判別し、当該受信パケットの音声データに代えて代替音データまたは無音データを出力する。
【００５５】
以上のように本実施の形態によれば、受信信号の受信電力レベルを検知する受信電力レベル検知部１０と、無線信号に付加された誤り検出符号に基づいて受信音声データの誤りの有無を検出する誤り検出部９と、全体を制御する制御部２とを有し、制御部２は、検知した受信電力レベルが通信機の許容受信電力の範囲外であって、誤り検出部９によって受信音声データの誤りを検出した場合にのみ、受信音声データの区間における音声データを代替音データまたは無音データとすることにより、検知された受信パケットの受信電力レベルが正常通信品質を確保できる受信電力レベル領域の範囲外であって、更に誤り検出部９において受信パケット中に付加された誤り検出符号によって受信パケットに誤りが検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができる。
【００５６】
（実施の形態６）
本発明の実施の形態６による通信機の構成は、実施の形態１、３または４と同様、図１、図４または図５の構成である。
【００５７】
このように構成された通信機について、その動作を図６を用いて説明する。
【００５８】
受信電力レベル検知部１０において検知される当該受信パケットの受信電力レベルが受信電力レベル領域３３の範囲外であって、更に同期検出部３２において当該受信パケット中に付加された同期検出符号によって当該受信パケットに同期不確立が検出された場合のみ、当該受信パケットは外部からの妨害波や干渉波を受け通信品質が劣化したと判別し、当該受信パケットの音声データに代えて代替音データまたは無音データを出力する。
【００５９】
以上のように本実施の形態によれば、受信信号の受信電力レベルを検知する受信電力レベル検知部１０と、無線信号に付加された同期検出符号に基づいて送受信時の同期確立の有無を検出する同期検出部３２と、全体を制御する制御部２とを有し、制御部２は、検知した受信電力レベルが通信機の許容受信電力の範囲外であって、同期検出部３２によって受信音声データの同期検出ができなかった場合にのみ、受信音声データの区間における音声データを代替音データまたは無音データとすることにより、検知された受信パケットの受信電力レベルが正常通信品質を確保できる受信電力レベル領域の範囲外であって、更に同期検出部３２において受信パケット中に付加された同期検出符号によって受信パケットに同期不確立が検出された場合にのみ、受信パケットは外部からの妨害波や干渉波を受けると共に通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができる。
【００６０】
（実施の形態７）
本発明の実施の形態７による通信機の構成は、実施の形態１、３または４と同様、図１、図４または図５の構成である。
【００６１】
このように構成された通信機について、その動作を図６を用いて説明する。
【００６２】
受信電力レベル検知部１０において検知される当該受信パケットの受信電力レベルが受信電力レベル領域３３の範囲外であって、更に誤り検出部９において当該受信パケット中に付加された誤り検出符号によって当該受信パケットに誤りが検出され、更に同期検出部３２において当該受信パケット中に付加された同期検出符号によって当該受信パケットに同期不確立が検出された場合のみ、当該受信パケットは外部からの妨害波や干渉波を受け、また通信品質が劣化したと判別し、当該受信パケットの音声データに代えて代替音データまたは無音データを出力する。
【００６３】
以上のように本実施の形態によれば、受信信号の受信電力レベルを検知する受信電力レベル検知部１０と、無線信号に付加された誤り検出符号に基づいて受信音声データの誤りの有無を検出する誤り検出部９と、無線信号に付加された同期検出符号に基づいて送受信時の同期確立の有無を検出する同期検出部３２と、全体を制御する制御部２とを有し、制御部２は、検知した受信電力レベルが通信機の許容受信電力の範囲外であって、誤り検出部９によって受信音声データの誤りを検出し、さらに同期検出部３２によって受信音声データの同期検出ができなかった場合にのみ、受信音声データの区間における音声データを代替音データまたは無音データとすることにより、検知された受信パケットの受信電力レベルが正常通信品質を確保できる受信電力レベル領域の範囲外であって、更に誤り検出部９において受信パケット中に付加された誤り検出符号によって受信パケットに誤りが検出され、更に同期検出部３２において受信パケット中に付加された同期検出符号によって受信パケットに同期不確立が検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができる。
【００６４】
【発明の効果】
以上説明したように本発明の請求項１に記載の通信機によれば、無線信号によって音声通信を行う通信機であって、受信信号の受信電力レベルを検知し、検知した受信電力レベルから無線信号の通信品質を判別し、通信品質劣化時の受信音声データの区間における音声データを代替音データまたは無音データとする受信電力レベル検知部を有することにより、受信信号たとえば受信パケット毎の受信電力レベルを検知し、検知した受信電力レベルが正常通信時のレベル値（正常通信レベル値）から大きく増減した場合、受信パケットは外部からの妨害波や干渉波を受け通信品質が劣化したと判別し、劣化したと判別されたパケットの音声データに代えて代替音データまたは無音データを出力し、また、検知した受信電力レベルの正常通信レベル値からの増減が小さい場合、受信パケットは外部からの妨害波や干渉波を受けず、また通信品質が劣化していないと判別し、受信パケットの音声データをそのまま出力するようにすることができるので、外部からの妨害波や干渉波を受けて通信品質が劣化したディジタル無線信号を受信した時も、音声通信品質に優れた音声通信を行うことができるという有利な効果が得られる。
【００６５】
請求項２に記載の通信機によれば、無線信号によって音声通信を行う通信機であって、受信信号の受信電力レベルを検知する受信電力レベル検知部と、全体を制御する制御部と、無線信号に付加された誤り検出符号に基づいて受信音声データの誤りの有無を検出する誤り検出部とを備え、制御部は、検知した受信電力レベルおよび誤り検出部における誤りの有無から無線信号の通信品質を判別することにより、受信パケットの受信電力レベルが正常通信レベル値から大きく増減し、更に受信パケット中に付加された誤り検出符号によって受信パケットにデータ誤りが検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された誤り検出符号によって受信パケットにデータ誤りが検出されなかった場合は、音声データとして受信パケットのデータをそのまま使用するようにすることができるので、音声通信品質に優れた音声通信を行うことができるという有利な効果が得られる。
【００６６】
請求項３に記載の通信機によれば、無線信号によって音声通信を行う通信機であって、受信信号の受信電力レベルを検知する受信電力レベル検知部と、全体を制御する制御部と、無線信号に付加された同期検出符号に基づいて送受信時の同期確立の有無を検出する同期検出部とを備え、制御部は、検知した受信電力レベルおよび同期検出部における同期確立の有無から無線信号の通信品質を判別することにより、受信パケットの受信電力レベルが正常通信レベル値から大きく増減し、更に受信パケット中に付加された同期検出符号によって受信パケットに同期不確立が検出された場合は、受信パケットは外部からの干渉波を受けると共に通信品質が劣化したと判別し、受信パケットのデータは使用せず、音声データとして代替音データまたは無音データを出力し、一方、受信パケットの受信電力レベルが正常通信レベル値から大きく増減し、更に受信パケット中に付加された同期検出符号によって受信パケットに同期不確立が検出されなかった場合は、音声データとして受信パケットのデータをそのまま使用するようにすることができるので、音声通信品質に優れた音声通信を行うことができるという有利な効果が得られる。
【００６７】
請求項４に記載の通信機によれば、無線信号によって音声通信を行う通信機であって、受信信号の受信電力レベルを検知する受信電力レベル検知部と、全体を制御する制御部と、無線信号に付加された誤り検出符号に基づいて受信音声データの誤りの有無を検出する誤り検出部と、無線信号に付加された同期検出符号に基づいて送受信時の同期確立の有無を検出する同期検出部とを備え、制御部は、検知した受信電力レベルおよび誤り検出部における誤りの有無ならびに同期検出部における同期確立の有無から無線信号の通信品質を判別することを特徴とする通信機。検知した受信パケット毎の受信電力レベルが正常通信レベル値から大きく増減し、更に誤り検出部において受信パケット中に付加された誤り検出符号によって受信パケットに誤りが検出され、更に同期検出部において受信パケット中に付加された同期検出符号によって受信パケットに同期不確立が検出された場合は、受信パケットは外部からの干渉波を受けまた通信品質が劣化したと判別し、通信品質の劣化が検知されたパケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという有利な効果が得られる。
【００６８】
請求項５に記載の通信機によれば、無線信号によって音声通信を行う通信機であって、受信信号の受信電力レベルを検知する受信電力レベル検知部と、無線信号に付加された誤り検出符号に基づいて受信音声データの誤りの有無を検出する誤り検出部と、全体を制御する制御部とを有し、制御部は、検知した受信電力レベルが通信機の許容受信電力の範囲外であって、誤り検出部によって受信音声データの誤りを検出した場合にのみ、受信音声データの区間における音声データを代替音データまたは無音データとすることにより、検知された受信パケットの受信電力レベルが正常通信品質を確保できる受信電力レベル領域の範囲外であって、更に誤り検出部において受信パケット中に付加された誤り検出符号によって受信パケットに誤りが検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという有利な効果が得られる。
【００６９】
請求項６に記載の通信機によれば、無線信号によって音声通信を行う通信機であって、受信信号の受信電力レベルを検知する受信電力レベル検知部と、無線信号に付加された同期検出符号に基づいて送受信時の同期確立の有無を検出する同期検出部と、全体を制御する制御部とを有し、制御部は、検知した受信電力レベルが通信機の許容受信電力の範囲外であって、同期検出部によって受信音声データの同期検出ができなかった場合にのみ、受信音声データの区間における音声データを代替音データまたは無音データとすることにより、検知された受信パケットの受信電力レベルが正常通信品質を確保できる受信電力レベル領域の範囲外であって、更に同期検出部において受信パケット中に付加された同期検出符号によって受信パケットに同期不確立が検出された場合にのみ、受信パケットは外部からの妨害波や干渉波を受けると共に通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという有利な効果が得られる。
【００７０】
請求項７に記載の通信機によれば、無線信号によって音声通信を行う通信機であって、受信信号の受信電力レベルを検知する受信電力レベル検知部と、無線信号に付加された誤り検出符号に基づいて受信音声データの誤りの有無を検出する誤り検出部と、無線信号に付加された同期検出符号に基づいて送受信時の同期確立の有無を検出する同期検出部と、全体を制御する制御部とを有し、制御部は、検知した受信電力レベルが通信機の許容受信電力の範囲外であって、誤り検出部によって受信音声データの誤りを検出し、さらに同期検出部によって受信音声データの同期検出ができなかった場合にのみ、受信音声データの区間における音声データを代替音データまたは無音データとすることにより、検知された受信パケットの受信電力レベルが正常通信品質を確保できる受信電力レベル領域の範囲外であって、更に誤り検出部において受信パケット中に付加された誤り検出符号によって受信パケットに誤りが検出され、更に同期検出部において受信パケット中に付加された同期検出符号によって受信パケットに同期不確立が検出された場合にのみ、受信パケットは外部からの妨害波や干渉波を受け通信品質が劣化したと判別し、受信パケットの音声データに代えて代替音データまたは無音データを出力するようにすることができるので、外部からの妨害波や干渉波を受けて通信品質が劣化したディジタル無線信号を受信した時も、音声通信品質に優れた音声通信を行うことができるという有利な効果が得られる。
【図面の簡単な説明】
【図１】本発明の実施の形態１による通信機を示すブロック図
【図２】図１の受信電力レベル検知部による受信電力レベル判別方法を示す説明図
【図３】（ａ）本発明の実施の形態２における送信パケットデータを示すデータ構成図
（ｂ）本発明の実施の形態２における受信パケットデータを示すデータ構成図
（ｃ）本発明の実施の形態２における復調データを示すデータ構成図
【図４】本発明の実施の形態３による通信機を示すブロック図
【図５】本発明の実施の形態４による通信機を示すブロック図
【図６】受信電力レベル領域の一例を示すグラフ
【図７】従来の通信機を示すブロック図
【符号の説明】
１　通信部
２　制御部
３　操作部
４　表示部
５　マイク
６　スピーカ
７　メモリ
８　外部インターフェース部
９　誤り検出部
１０　受信電力レベル検知部
３２　同期検出部
【図１】
2004104211.tif 000003
【図２】
2004104211.tif 000004
【図３】
2004104211.tif 000005
【図４】
2004104211.tif 000006
【図５】
2004104211.tif 000007
【図６】
2004104211.tif 000008
【図７】
2004104211.tif 000009